(57)【要約】      （修正有）【課題】エレベーター巻上機の巾及び奥行き方向の寸法が異なる場合であっても対応できて運搬可能な運搬台車及びその方法を提供する。【解決手段】本発明のエレベーター巻上機の運搬台車１aは、エレベーター巻上機２Aを載置する荷台部３a、３bは、連結棒６a、６bの長さ方向と同方向に設けられた複数の第１の巻上機固定穴と、前記連結棒の長さ方向と直交する方向に設けられた複数の第２の巻上機固定穴とを有し、前記複数の第１の巻上機固定穴若しくは第２の巻上機固定穴を介して前記荷台部に取付けられ、前記連結棒の長さ方向と同方向に延設され、その延設方向端部近傍に複数の第３の巻上機固定穴を有する対になっている複数の巻上機固定ブラケットを備えていることを特徴とする。【選択図】図１
2018203410.tif 000002
【特許請求の範囲】
【請求項１】
エレベーター巻上機を載置する荷台部、この荷台部の底面に設けられた複数の車輪部とから成る一対の台車と、これら一対の台車間に介設され前記荷台部の底面に設けられた複数の連結棒固定部と、該複数の連結棒固定部のそれぞれに、前記一対の台車と複数の異なる位置にて固定される連結棒とを備えたエレベーター巻上機の運搬台車において、
前記荷台部は、前記連結棒の長さ方向と同方向に設けられた複数の第１の巻上機固定穴と、前記連結棒の長さ方向と直交する方向に設けられた複数の第２の巻上機固定穴とを有し、
前記複数の第１の巻上機固定穴若しくは第２の巻上機固定穴を介して前記荷台部に取付けられ、前記連結棒の長さ方向と同方向に延設され、その延設方向端部近傍に複数の第３の巻上機固定穴を有する対になっている複数の巻上機固定ブラケットを備えていることを特徴とするエレベーター巻上機の運搬台車。
【請求項２】
請求項１に記載のエレベーター巻上機の運搬台車において、
前記連結棒には、一方端には１つの固定穴が、他方端には複数の固定穴が形成され、前記１つの固定穴及び前記エレベーター巻上機の大きさに応じて選択された前記複数の固定穴のうちの１つの固定穴を介して、前記連結棒固定部と前記連結棒が締結具で固定されていることを特徴とするエレベーター巻上機の運搬台車。
【請求項３】
請求項１又は２に記載のエレベーター巻上機の運搬台車において、
前記複数の巻上機固定ブラケットのそれぞれには、前記連結棒と直交する方向に延びる固定長穴が形成されていることを特徴とするエレベーター巻上機の運搬台車。
【請求項４】
エレベーター巻上機を載置する荷台部、この荷台部の底面に設けられた複数の車輪部とから成る一対の台車と、これら一対の台車間に介設され前記荷台部の底面に設けられた複数の連結棒固定部と、該複数の連結棒固定部のそれぞれに、前記一対の台車と複数の異なる位置にて固定される連結棒とを備えたエレベーター巻上機の運搬台車において、
前記荷台部は、前記連結棒の長さ方向と同方向に設けられた複数の第１の巻上機固定穴と、前記連結棒の長さ方向と同方向で、かつ、前記第１の巻上機固定穴を、前記連結棒の長さ方向と直交する方向に所定の間隔をもって挟むように設けられた複数の第２の巻上機固定穴とを有し、
前記複数の第１の巻上機固定穴のうち前記台車間で最も近接する穴と、前記複数の第２の巻上機固定穴のうち前記台車間で最も近接する穴とを介して、前記エレベーター巻上機が前記荷台部に直接固定されていることを特徴とするエレベーター巻上機の運搬台車。
【請求項５】
エレベーター巻上機を載置する荷台部、この荷台部の底面に設けられた複数の車輪部とから成る一対の台車と、これら一対の台車間に介設され前記荷台部の底面に設けられた複数の連結棒固定部と、該複数の連結棒固定部のそれぞれに、前記一対の台車と複数の異なる位置にて固定される連結棒とを備えたエレベーター巻上機の運搬台車を用いて前記エレベーター巻上機を運搬するエレベーター巻上機の運搬方法において、
前記荷台部は、前記連結棒の長さ方向と同方向に設けられた複数の第１の巻上機固定穴と、前記連結棒の長さ方向と直交する方向に設けられた複数の第２の巻上機固定穴とを有し、前記複数の第１の巻上機固定穴若しくは第２の巻上機固定穴を介して前記荷台部に取付けられ、前記連結棒の長さ方向と同方向に延設され、その延設方向端部近傍に複数の第３の巻上機固定穴を有する対になっている複数の巻上機固定ブラケットを備え、前記複数の巻上機固定ブラケットのそれぞれには、前記連結棒と直交する方向に延びる固定長穴が形成されており、
既設のエレベーター巻上機を運搬する際は、一対の前記台車間の長手方向寸法を最大寸法とし、対になっている前記巻上機固定ブラケット間と対になっている他の巻上機固定ブラケット間で、かつ、前記複数の第３の巻上機固定穴のうち最も間隔が広い位置の前記第３の巻上機固定穴を介して固定すると共に、前記エレベーター巻上機のモーターに対するシーブの位置に応じて、前記複数の巻上機固定ブラケットに形成されている前記固定長穴の荷台部の取付け位置を変更し、前記既設のエレベーター巻上機の重心位置が運搬台車の中心位置となるようにして運搬することを特徴とする特徴とするエレベーター巻上機の運搬方法。
【請求項６】
請求項５に記載のエレベーター巻上機の運搬方法において、
前記連結棒には、一方端には１つの固定穴が、他方端には複数の固定穴が形成されており、
既設の前記エレベーター巻上機より小型のエレベーター巻上機を運搬する際は、前記連結棒に形成されている１つの前記固定穴と複数の前記固定穴から選択された固定穴を介して、前記連結棒固定部と前記連結棒が締結具で固定することにより、一対の前記台車間の寸法が最小寸法の状態で前記エレベーター巻上機を運搬することを特徴とする特徴とするエレベーター巻上機の運搬方法。
【請求項７】
請求項６に記載のエレベーター巻上機の運搬方法において、
既設の前記エレベーター巻上機より更に小型のエレベーター巻上機を運搬する際は、対になっている前記巻上機固定ブラケット間と他の対になっている巻上機固定ブラケット間で、かつ、前記複数の第３の巻上機固定穴間のうち最も狭い位置に前記エレベーター巻上機が固定された状態で運搬することを特徴とする特徴とするエレベーター巻上機の運搬方法。
【発明の詳細な説明】
【技術分野】
【０００１】
本発明はエレベーター巻上機の運搬台車及びその運搬方法に係り、特に、リニューアル工事等の際にエレベーター巻上機を搬出、搬入するものに好適なエレベーター巻上機の運搬台車及びその運搬方法に関する。
【背景技術】
【０００２】
従来、長期間使用したエレベーターが老朽化すると、既設されているエレベーター機器の全部か、或いはそれらの一部を新品へと取り換えるためのリニューアル工事が必要になる。
【０００３】
このリニューアル工事のとき、既設されている巻上機を機械室から搬出すると共に、新設の巻上機を機械室に搬入する必要が有る。この巻上機は重量物であるため、巻上機の搬出、搬入するために運搬台車を必要としていた。
【０００４】
従来の運搬台車としては、例えば、特許文献１に記載されているような巾寸法の異なる運搬物を運搬するために、運搬物に応じて巾寸法を可変にできるエスカレータの運搬台車が提案されている。
【先行技術文献】
【特許文献】
【０００５】
【特許文献１】特開２０１０−９８８号公報
【発明の概要】
【発明が解決しようとする課題】
【０００６】
しかしながら、前記した従来のエスカレータの運搬台車では、巾寸法の調整は可能であるが、巾寸法に直交する奥行き方向の調整及び重心位置の微調整が行うことができず、多種の荷物を運搬するのに適していなかった。
【０００７】
本発明は上述の点に鑑みなされたもので、その目的とするところは、エレベーター巻上機の巾及び奥行き方向の寸法が異なる場合であっても対応できて運搬可能なエレベーター巻上機の運搬台車及びその運搬方法を提供するにある。
【課題を解決するための手段】
【０００８】
本発明のエレベーター巻上機の運搬台車は、上記目的を達成するために、エレベーター巻上機を載置する荷台部、この荷台部の底面に設けられた複数の車輪部とから成る一対の台車と、これら一対の台車間に介設され前記荷台部の底面に設けられた複数の連結棒固定部と、該複数の連結棒固定部のそれぞれに、前記一対の台車と複数の異なる位置にて固定される連結棒とを備えたエレベーター巻上機の運搬台車において、前記荷台部は、前記連結棒の長さ方向と同方向に設けられた複数の第１の巻上機固定穴と、前記連結棒の長さ方向と直交する方向に設けられた複数の第２の巻上機固定穴とを有し、前記複数の第１の巻上機固定穴若しくは第２の巻上機固定穴を介して前記荷台部に取付けられ、前記連結棒の長さ方向と同方向に延設され、その延設方向端部近傍に複数の第３の巻上機固定穴を有する対になっている複数の巻上機固定ブラケットを備えていることを特徴とする。
【０００９】
また、本発明のエレベーター巻上機の運搬台車は、上記目的を達成するために、エレベーター巻上機を載置する荷台部、この荷台部の底面に設けられた複数の車輪部とから成る一対の台車と、これら一対の台車間に介設され前記荷台部の底面に設けられた複数の連結棒固定部と、該複数の連結棒固定部のそれぞれに、前記一対の台車と複数の異なる位置にて固定される連結棒とを備えたエレベーター巻上機の運搬台車において、前記荷台部は、前記連結棒の長さ方向と同方向に設けられた複数の第１の巻上機固定穴と、前記連結棒の長さ方向と同方向で、かつ、前記第１の巻上機固定穴を、前記連結棒の長さ方向と直交する方向に所定の間隔をもって挟むように設けられた複数の第２の巻上機固定穴とを有し、前記複数の第１の巻上機固定穴のうち前記台車間で最も近接する穴と、前記複数の第２の巻上機固定穴のうち前記台車間で最も近接する穴とを介して、前記エレベーター巻上機が前記荷台部に直接固定されていることを特徴とする。
【００１０】
更に、本発明のエレベーター巻上機の運搬方法は、上記目的を達成するために、エレベーター巻上機を載置する荷台部、この荷台部の底面に設けられた複数の車輪部とから成る一対の台車と、これら一対の台車間に介設され前記荷台部の底面に設けられた複数の連結棒固定部と、該複数の連結棒固定部のそれぞれに、前記一対の台車と複数の異なる位置にて固定される連結棒とを備えたエレベーター巻上機の運搬台車を用いて前記エレベーター巻上機を運搬するエレベーター巻上機の運搬方法において、前記荷台部は、前記連結棒の長さ方向と同方向に設けられた複数の第１の巻上機固定穴と、前記連結棒の長さ方向と直交する方向に設けられた複数の第２の巻上機固定穴とを有し、前記複数の第１の巻上機固定穴若しくは第２の巻上機固定穴を介して前記荷台部に取付けられ、前記連結棒の長さ方向と同方向に延設され、その延設方向端部近傍に複数の第３の巻上機固定穴を有する対になっている複数の巻上機固定ブラケットを備え、前記複数の巻上機固定ブラケットのそれぞれには、前記連結棒と直交する方向に延びる固定長穴が形成されており、既設のエレベーター巻上機を運搬する際は、一対の前記台車間の長手方向寸法を最大寸法とし、対になっている前記巻上機固定ブラケット間と対になっている他の巻上機固定ブラケット間で、かつ、前記複数の第３の巻上機固定穴のうち最も間隔が広い位置の前記第３の巻上機固定穴を介して固定すると共に、前記エレベーター巻上機のモーターに対するシーブの位置に応じて、前記複数の巻上機固定ブラケットに形成されている前記固定長穴の荷台部の取付け位置を変更し、前記既設のエレベーター巻上機の重心位置が運搬台車の中心位置となるようにして運搬することを特徴とする特徴とする。
【発明の効果】
【００１１】
本発明によれば、エレベーター巻上機の巾及び奥行き方向の寸法が異なる場合であっても対応できて運搬可能なエレベーター巻上機の運搬台車を得ることができる。
【図面の簡単な説明】
【００１２】
【図１】本発明のエレベーター巻上機の運搬台車の実施例１を示し、既設のエレベーター巻上機を運搬台車に載置した状態の正面図である。
【図２】本発明のエレベーター巻上機の運搬台車の実施例１を示し、既設のエレベーター巻上機を運搬台車に載置した状態の側面図である。
【図３】本発明のエレベーター巻上機の運搬台車の実施例１を示し、エレベーター巻上機のモーター側から見てシーブが左側に配置される既設の大型のエレベーター巻上機を運搬台車に載置し固定した状態の平面図である。
【図４】本発明のエレベーター巻上機の運搬台車の実施例１を示し、エレベーター巻上機のモーター側から見てシーブが右側に配置される既設の大型のエレベーター巻上機を運搬台車に載置し固定した状態の平面図である。
【図５】本発明のエレベーター巻上機の運搬台車の実施例１を示し、エレベーター巻上機のモーター側から見てシーブが右側に配置される既設の中型のエレベーター巻上機を運搬台車に載置し固定した状態の上面図である。
【図６】本発明のエレベーター巻上機の運搬台車の実施例１を示し、エレベーター巻上機のモーター側から見てシーブが右側に配置される既設の小型のエレベーター巻上機を運搬台車に載置し固定した状態の平面図である。
【図７】本発明のエレベーター巻上機の運搬台車の実施例１に採用される巻上機固定ブラケットを示す平面図である。
【図８】本発明のエレベーター巻上機の運搬台車の実施例１に採用される連結棒を示す平面図である。
【図９】本発明のエレベーター巻上機の運搬台車の実施例２を示し、新設のエレベーター巻上機を運搬台車に載置した状態の正面図である。
【図１０】本発明のエレベーター巻上機の運搬台車の実施例２を示し、新設のエレベーター巻上機を運搬台車に載置した状態の側面図である。
【図１１】本発明のエレベーター巻上機の運搬台車の実施例２を示し、新設の小型のエレベーター巻上機を運搬台車に載置し固定した状態の平面図である。
【図１２】本発明のエレベーター巻上機の運搬台車の実施例２を示し、新設の大型のエレベーター巻上機を運搬台車に載置し固定した状態の上面図である。
【発明を実施するための形態】
【００１３】
以下、図示した実施例に基づいて本発明のエレベーター巻上機の運搬台車及びその運搬方法を説明する。なお、各図において同一構成部品には同符号を使用する。
【実施例１】
【００１４】
図１、図２及び図３に、本発明のエレベーター巻上機の運搬台車の実施例１を示す。
【００１５】
該図に示すように、本実施例のエレベーター巻上機の運搬台車１は、エレベーター巻上機２Ａを載置する２つの荷台部３ａ、３ｂ、この２つの荷台部３ａ、３ｂのそれぞれの底面に２個ずつ設けられた複数（本実施例では４個）の車輪部４０ａ、４０ｂから成る一対の台車１ａ、１ｂと、これら一対の台車１ａ、１ｂ部間に介設され、２つの荷台部３ａ、３ｂのそれぞれの底面に２個づつ設けられた４個の連結棒固定部５ａ、５ｂと、これら連結棒固定部５ａ、５ｂに、一対の台車１ａ、１ｂと複数の異なる位置（図１の左右方向の複数の異なる位置）にて固定される２本の連結棒６ａ、６ｂとを備えて概略構成されている。
【００１６】
そして、一方の台車１ａの荷台部３ａは、各連結棒６ａ、６ｂの長さ方向と同方向に設けられた複数（本実施例では図３の上下方向に２個）の第１の巻上機固定穴３１ａ１及び３１ａ２と、各連結棒６ａ、６ｂのそれぞれの長さ方向と直交する方向に設けられた複数（本実施例では図３の左右方向に２個）の第２の巻上機固定穴３２ａ１及び３２ａ２と、複数の第１の巻上機固定穴３１ａ１及び３１ａ２もしくは第２の巻上機固定穴３２ａ１及び３２ａ２に取付けられ、各連結棒６ａ、６ｂの長さ方向と同方向に延設され、その延設方向端部近傍に複数（本実施例では図３の上下方向に各２個）の第３の巻上機固定穴３３ａ１１、３３ａ１２及び３３ａ２１、３３ａ２２をそれぞれ有する２個の巻上機固定ブラケット４ａ１及び４ａ２とを備えて構成されている。なお、第２の巻上機固定穴３２ａ１及び３２ａ２は、図３に表記したが、図３上では巻上機固定ブラケット４ａ１及び４ａ２の裏側にある。
【００１７】
また、他方の台車１ｂの荷台部３ｂも同様に、各連結棒６ａ、６ｂの長さ方向と同方向に設けられた複数（本実施例では図３の上下方向に２個）の第１の巻上機固定穴３１ｂ１及び３１ｂ２と、各連結棒６ａ、６ｂの長さ方向と直交する方向に設けられた複数（本実施例では図３の左右方向に２個）の第２の巻上機固定穴３２ｂ１及び３２ｂ２と、複数の第１の巻上機固定穴３１ｂ１及び３１ｂ２もしくは第２の巻上機固定穴３２ｂ１及び３２ｂ２に取付けられ、各連結棒６ａ、６ｂの長さ方向と同方向に延設され、その延設方向端部近傍に複数（本実施例では図３の上下方向に各２個）の第３の巻上機固定穴３３ｂ１１、３３ｂ１２及び３３ｂ２１、３３ｂ２２を有する２個の巻上機固定ブラケット４ｂ１及び４ｂ２とを備えて構成されている。なお、第２の巻上機固定穴３２ｂ１及び３２ｂ２は、図３に表記したが、図３上では巻上機固定ブラケット４ｂ１及び４ｂ２の裏側にある。
【００１８】
図１、図２及び図３に示すエレベーター巻上機２Ａは、既設のものが撤去される大型のエレベーター巻上機を示している。
【００１９】
上述した各連結棒６ａ、６ｂには、図８に示すように、それぞれ両端部に固定穴６ａ１、６ｂ１が形成され、固定穴６ｂ１の下部にもう一つの固定穴６ｃ１が形成されており、固定穴６ａ１と連結棒固定部５ａが、固定穴６ｂ１と連結棒固定部５ｂが締結具（例えばボルト、ナット等）７ａ、７ｂにより各々固定されることで、一対の台車１ａ及び１ｂ間の長手方向（図１及び図２では左右方向、図３では上下方向）寸法は最大寸法（台車１ａと１ｂが最も離れている）となっている。
【００２０】
また、この既設の大型のエレベーター巻上機２Ａは、一対の巻上機固定ブラケット４ａ１及び４ｂ１間（図１及び図２では左右方向間、図３では上下方向間）と一対の巻上機固定ブラケット４ａ２及び４ｂ２間で第３の巻上機固定穴３３ａ１１、３３ａ１２、３３ｂ１１、３３ｂ１２及び３３ａ２１、３３ａ２２、３３ｂ２１、３３ｂ２２のうち最も間隔が広い位置に固定される構成となっている。即ち、巻上機固定ブラケット４ａ１は第３の巻上機固定穴３３ａ１１を介して、巻上機固定ブラケット４ｂ１は第３の巻上機固定穴３３ｂ１１を介して荷台部３ａ、３ｂに固定され、巻上機固定ブラケット４ａ２は第３の巻上機固定穴３３ａ２２を介して、巻上機固定ブラケット４ｂ２は第３の巻上機固定穴３３ｂ２１を介して荷台部３ａ、３ｂに固定されている。
【００２１】
そして、４個の巻上機固定ブラケット４ａ１及び４ｂ１と４ａ２及び４ｂ２は、荷台部３ａ及び３ｂに取り付けられていると共に、図７に示すように、４個の巻上機固定ブラケット４ａ１及び４ｂ１と４ａ２及び４ｂ２のそれぞれには、連結棒６ａ、６ｂと直交する方向（図３の左右方向）に延びる固定長穴４１ａ１、４１ｂ１、４１ａ２、４１ｂ２が形成されている。
【００２２】
また、この既設の大型のエレベーター巻上機２Ａは、図３に示すように、モーター２１Ａの左側にシーブ２２Ａが取り付けられている形状なので、巻上機固定ブラケット４ａ１及び４ｂ１と４ａ２及び４ｂ２の荷台部３ａ、３ｂへの取付け位置は、図３に示すように、固定長穴４１ａ１及び４１ｂ１と４１ａ２及び４１ｂ２の左側に寄せて取り付けられており、エレベーター巻上機２Ａの重心位置付近がエレベーター巻上機の運搬台車１の中心位置となるように構成されている。
【００２３】
これに対して、図４に示す既設の大型のエレベーター巻上機２Ａ１の場合は、モーター２１Ａ１から右にシーブ２２Ａ１が取り付けられている形状なので、巻上機固定ブラケット４ａ１及び４ｂ１と４ａ２及び４ｂ２の荷台部３ａ、３ｂへの取付け位置は、図４に示すように、固定長穴４１ａ１及び４１ｂ１と４１ａ２及び４１ｂ２の右側に寄せて取り付けられており、エレベーター巻上機２Ａ１の重心位置がエレベーター巻上機の運搬台車１の中心位置となるように構成されている。
【００２４】
このように本実施例では、既設の大型のエレベーター巻上機２Ａ、２Ａ１の場合は、一対の台車１ａ及び１ｂ間の長手方向（図１及び図２では左右方向、図３では上下方向）寸法を最大寸法とし、一対の巻上機固定ブラケット４ａ１及び４ｂ１間（図１及び図２では左右方向間、図３では上下方向間）と一対の巻上機固定ブラケット４ａ２及び４ｂ２間で第３の巻上機固定穴３３ａ１１、３３ａ１２、３３ｂ１１、３３ｂ１２及び３３ａ２１、３３ａ２２、３３ｂ２１、３３ｂ２２のうち最も間隔が広い位置に固定（巻上機固定ブラケット４ａ１は第３の巻上機固定穴３３ａ１１を介して、巻上機固定ブラケット４ｂ１は第３の巻上機固定穴３３ｂ１１を介して荷台部３ａ、３ｂに固定され、巻上機固定ブラケット４ａ２は第３の巻上機固定穴３３ａ２２を介して、巻上機固定ブラケット４ｂ２は第３の巻上機固定穴３３ｂ２１を介して荷台部３ａ、３ｂに固定）し、更に、モーター２１Ａ、２１Ａ１に対するシーブ２２Ａ、２２Ａ１の位置に応じて、巻上機固定ブラケット４ａ１及び４ｂ１と４ａ２及び４ｂ２に形成されている固定長穴４１ａ１及び４１ｂ１と４１ａ２及び４１ｂ２の荷台部３ａ、３ｂへの取付け位置を変更することで、既設の大型のエレベーター巻上機２Ａ、２Ａ１の重心位置がエレベーター巻上機の運搬台車１の中心位置となるように構成されている。
【００２５】
また、既設の中型のエレベーター巻上機２Ａ２を運搬する際には、図５に示すように、連結棒６ａ、６ｂのそれぞれに形成されている固定穴６ａ１及び６ｃ１を介して、連結棒固定部５ａ及び５ｂと連結棒６ａ及び６ｂを締結具７ａ及び７ｂで固定することにより、一対の台車１ａ及び１ｂ間（図５の上下方向間）の寸法は最小寸法（台車１ａと１ｂが最も近接している）に構成することができる。
【００２６】
また、この既設の中型のエレベーター巻上機２Ａ２は、一対の巻上機固定ブラケット４ａ１及び４ｂ１間（図５の上下方向間）と４ａ２及び４ｂ２間で第３の巻上機固定穴３３ａ１１、３３ａ１２、３３ｂ１１、３３ｂ１２及び３３ａ２１、３３ａ２２、３３ｂ２１、３３ｂ２２のうち２番目に広い位置に固定される構成となっている。
【００２７】
即ち、巻上機固定ブラケット４ａ１では、図中上側の巻上機固定穴３３ａ１２に、巻上機固定ブラケット４ｂ１では、図中上側の巻上機固定穴３３ｂ１１に、巻上機固定ブラケット４ａ２では、図中上側の巻上機固定穴３３ａ２２に、巻上機固定ブラケット４ｂ２では、図中上側の巻上機固定穴３３ａ２１に中型のエレベーター巻上機２Ａ２が固定される構造となっている。
【００２８】
そして、既設の中型のエレベーター巻上機２Ａ２の場合は、モーター２１Ａ２から右にシーブ２２Ａ２が取り付けられている形状なので、巻上機固定ブラケット４ａ１、４ｂ１、４ａ２、４ｂ２の荷台部３ａ、３ｂへの取付け位置は、図５に示すように、固定長穴４１ａ１、４１ｂ１、４１ａ２、４１ｂ２の内の図中右側に寄せて取り付けられており、中型のエレベーター巻上機２Ａ２の重心位置がエレベーター巻上機の運搬台車１の中心位置となるように構成されている。
【００２９】
更に、既設の小型のエレベーター巻上機２Ａ３を運搬する際には、図６に示すように、連結棒６ａ、６ｂのそれぞれに形成されている固定穴６ａ１及び６ｃ１を介して、連結棒固定部５ａ及び５ｂと連結棒６ａ及び６ｂを締結具７ａ及び７ｂで固定することにより、一対の台車１ａ及び１ｂ間（図５の上下方向間）の寸法は最小寸法に構成することができる。
【００３０】
また、この既設の小型のエレベーター巻上機２Ａ３は、一対の巻上機固定ブラケット４ａ１及び４ｂ１間（図６では上下方向間）と４ａ２及び４ｂ２間で第３の巻上機固定穴３３ａ１１、３３ａ１２、３３ｂ１１、３３ｂ１２及び３３ａ２１、３３ａ２２、３３ｂ２１、３３ｂ２２間のうち最も狭い位置に固定される構成となっている。
【００３１】
即ち、巻上機固定ブラケット４ａ１では、図中上側の巻上機固定穴３３ａ１２に、巻上機固定ブラケット４ｂ１では、図中下側の巻上機固定穴３３ｂ１２に、巻上機固定ブラケット４ａ２では、図中上側の巻上機固定穴３３ａ２２に、巻上機固定ブラケット４ｂ２では、図中上側の巻上機固定穴３３ｂ２２に、小型のエレベーター巻上機２Ａ３が固定される構造となっている。
【００３２】
そして、既設の小型のエレベーター巻上機２Ａ３の場合は、モーター２１Ａ３から右にシーブ２２Ａ３が取り付けられている形状なので、巻上機固定ブラケット４ａ１、４ｂ１、４ａ２、４ｂ２の荷台部３ａ、３ｂへの取付け位置は、図６に示すように、第１の巻上機固定穴３１ａ２及び３１ｂ２と第２の巻上機固定穴３２ａ２及び３２ｂ２となっている。
【００３３】
上記のように、既設の中、小型のエレベーター巻上機２Ａ２、２Ａ３の場合は、一対の台車１ａ及び１ｂ間（図５及び図６の上下方向間）の寸法は最小寸法とし、一対の巻上機固定ブラケット４ａ１及び４ｂ１間（図５及び図６では上下方向間）と４ａ２及び４ｂ２間で、第３の巻上機固定穴３３ａ１１、３３ａ１２、３３ｂ１１、３３ｂ１２及び３３ａ２１、３３ａ２２、３３ｂ２１、３３ｂ２２間のうち間隔が２番目、３番目広い位置に固定し、更に、モーター２１Ａ２、２１Ａ３に対するシーブ２２Ａ２、２２Ａ３の位置に応じて巻上機固定穴への取付け位置を変更することで、エレベーター巻上機２Ａ２、２Ａ３の重心位置が、エレベーター巻上機の運搬台車１の中心位置となるように構成されている。
【００３４】
このような本実施例の構成とすることにより、各連結棒６ａ、６ｂへの台車１ａ、１ｂの固定位置を変えることで台車１ａ、１ｂ間の寸法を変位させて、複数の巾寸法を有する巻上機を荷台部３ａ、３ｂ上に載置することができる。
【００３５】
また、第１の巻上機固定穴３１ａ１、３１ａ２、３１ｂ１、３１ｂ２若しくは第２の巻上機固定穴３２ａ１、３２ｂ１、３２ａ２、３２ｂ２と巻上機の固定位置を選択することで、巻上機の厚さ方向（巾方向に直交する方向）にも巻上機の固定位置を変化させて、多種の巻上機を運搬することができる。
【００３６】
更に、巻上機固定ブラケット４ａ１、４ｂ１、４ａ２、４ｂ２を介して巻上機を荷台部３ａ、３ｂに固定すれば、より複数の巾寸法を有する巻上機を荷台部３ａ、３ｂ上に固定して運搬することも可能となる。
【００３７】
従って、本実施例によれば、巾及び奥行き方向の寸法が異なる場合であっても対応できて運搬可能なエレベーターの運搬台車を得ることができる。
【実施例２】
【００３８】
次に、図９乃至図１１を用いて、新設の小型のエレベーター巻上機を運搬する場合のエレベーター巻上機の運搬台車の構成について説明する。
【００３９】
該図に示す本実施例では、各連結棒６ａ、６ｂに形成されている固定穴６ａ１、６ｂ１と４つの連結棒固定部５ａ、５ｂとが締結具７ａ、７ｂにより各々固定されており、一対の台車１ａ及び１ｂ間（図９の左右方向間、図１１の上下方向間）の寸法は最大寸法となっている。
【００４０】
本実施例では、新設の小型のエレベーター巻上機２Ｂを運搬する場合には、図９及び図１０に示すように、上記した実施例１のような巻上機固定ブラケット４ａ１、４ｂ１、４ａ２、４ｂ２は使用せず、図１１に示すように、荷台部３ａ、３ｂには、連結棒６ａ、６ｂの長さ方向と同方向に設けられた複数の第１の巻上機固定穴３１ａ１、３１ａ２、３１ｂ１、３１ｂ２と、連結棒６ａ、６ｂの長さ方向と同方向で、かつ、第１の巻上機固定穴３１ａ１、３１ａ２、３１ｂ１、３１ｂ２を、連結棒６ａ、６ｂの長さ方向と直交する方向に所定の間隔をもって挟むように設けられた複数の第２の巻上機固定穴３２ａ１１、３２ａ１２、３２ｂ１１、３２ｂ１２、３２ａ２１、３２ａ２２、３２ｂ２１、３２ｂ２２とが形成されている。
【００４１】
そして、第１の巻上機固定穴３１ａ１、３１ａ２、３１ｂ１、３１ｂ２の最も近接する穴、即ち、第１の巻上機固定穴３１ａ２及び３１ｂ２と、第２の巻上機固定穴３２ａ１１、３２ａ１２、３２ｂ１１、３２ｂ１２、３２ａ２１、３２ａ２２、３２ｂ２１、３２ｂ２２の最も近接する穴、即ち、第２の巻上機固定穴３２ａ２２及び３２ｂ２２とエレベーター巻上機２Ｂとが直接固定されることで、新設の小型のエレベーター巻上機２Ｂの重心位置がエレベーター巻上機運搬台車１の中心位置となるように構成されている。
【００４２】
一方、図１２を用いて、新設の大型のエレベーター巻上機２Ｂ１を運搬する場合の運搬台車の構成について説明する。
【００４３】
図１２に示すように、各連結棒６ａ、６ｂに形成されている固定穴６ａ１、６ｂ１と４つの連結棒固定部５ａ、５ｂとが締結具７ａ、７ｂにより各々固定されており、一対の台車１ａ及び１ｂ間（図１２の上下方向間）の寸法は最大寸法となっている。
【００４４】
本実施例では、新設の大型のエレベーター巻上機２Ｂ１を運搬する場合には、上記した実施例１のような巻上機固定ブラケット４ａ１、４ｂ１、４ａ２、４ｂ２は使用せず、図１２に示すように、荷台部３ａ、３ｂには、連結棒６ａ、６ｂの長さ方向と同方向に設けられた複数の第１の巻上機固定穴３１ａ１、３１ａ２、３１ｂ１、３１ｂ２と、連結棒６ａ、６ｂの長さ方向と同方向で、かつ、第１の巻上機固定穴３１ａ１、３１ａ２、３１ｂ１、３１ｂ２を、連結棒６ａ、６ｂの長さ方向と直交する方向に所定の間隔をもって挟むように設けられた複数の第２の巻上機固定穴３２ａ１１、３２ａ１２、３２ｂ１１、３２ｂ１２、３２ａ２１、３２ａ２２、３２ｂ２１、３２ｂ２２とが形成されている。
【００４５】
そして、第１の巻上機固定穴３１ａ１、３１ａ２、３１ｂ１、３１ｂ２の最も近接する穴、即ち、第１の巻上機固定穴３１ａ２及び３１ｂ２と、第２の巻上機固定穴３２ａ１１、３２ａ１２、３２ｂ１１、３２ｂ１２、３２ａ２１、３２ａ２２、３２ｂ２１、３２ｂ２２の最も近接する穴、即ち、第２の巻上機固定穴３２ａ１２及び３２ｂ１２とエレベーター巻上機２Ｂ１とが直接固定されることで、新設の大型のエレベーター巻上機２Ｂ１の重心位置がエレベーター巻上機の運搬台車１の中心位置となるように構成されている。
【００４６】
このような本実施例の構成とすることにより、各連結棒６ａ、６ｂへの台車１ａ、１ｂの固定位置を変えることで台車１ａ、１ｂ間の寸法を変位させて、複数の巾寸法を有する新設の小型或いは大型のエレベーター巻上機２Ｂ、２Ｂ１を荷台部３ａ、３ｂ上に載置することができる。
【００４７】
また、第１の巻上機固定穴３１ａ１、３１ａ２、３１ｂ１、３１ｂ２若しくは第２の巻上機固定穴３２ａ１１、３２ａ１２、３２ｂ１１、３２ｂ１２、３２ａ２１、３２ａ２２、３２ｂ２１、３２ｂ２２と新設の小型或いは大型のエレベーター巻上機２Ｂ、２Ｂ１の固定位置を選択することで、新設の小型或いは大型のエレベーター巻上機２Ｂ、２Ｂ１の厚さ方向（巾方向に直交する方向）にも新設の小型或いは大型のエレベーター巻上機２Ｂ、２Ｂ１の固定位置を変化させて、多種のエレベーター巻上機を運搬することができる。
【００４８】
更に、実施例１のような巻上機固定ブラケット４ａ１、４ｂ１、４ａ２、４ｂ２を使用しなくて済むので、構造が簡単となり安価なエレベーター巻上機の運搬台車でエレベーター巻上機を運搬することが可能となる。
【００４９】
なお、上記した実施例は本発明を分かり易く説明するために詳細に説明したものであり、必ずしも説明した全ての構成を備えるものに限定されるものではない。また、ある実施例の構成の一部を他の実施例の構成を置き換えることが可能であり、また、ある実施例の構成に他の実施例の構成を加えることも可能である。また、各実施例の構成の一部について、他の構成の追加・削除・置換をすることが可能である。
【符号の説明】
【００５０】
１…エレベーター巻上機の運搬台車、１ａ、１ｂ…台車、２Ａ…エレベーター巻上機、２Ａ１…既設の大型のエレベーター巻上機、２Ａ２…既設の中型のエレベーター巻上機、２Ａ３…既設の小型のエレベーター巻上機、２Ｂ…新設の小型のエレベーター巻上機、２Ｂ１…新設の大型のエレベーター巻上機、３ａ、３ｂ…荷台部、４ａ１、４ａ２、４ｂ１、４ｂ２…巻上機固定ブラケット、５ａ、５ｂ…連結棒固定部、６ａ、６ｂ…連結棒、６ａ１、６ｂ１、６ｃ１…固定穴、７ａ、７ｂ…締結具、２１Ａ、２１Ａ１、２１Ａ２、２１Ａ３…モーター、２２Ａ、２２Ａ１、２２Ａ２、２２Ａ３…シーブ、３１ａ１、３１ａ２、３１ｂ１、３１ｂ２…第１の巻上機固定穴、３２ａ１、３２ａ２、３２ｂ１、３２ｂ２、３２ａ１１、３２ａ１２、３２ｂ１１、３２ｂ１２、３２ａ２１、３２ａ２２、３２ｂ２１、３２ｂ２２…第２の巻上機固定穴、３３ａ１１、３３ａ１２、３３ａ２１、３３ａ２２、３３ｂ１１、３３ｂ１２、３３ｂ２１、３３ｂ２２…複数の第３の巻上機固定穴、４０ａ、４０ｂ…車輪部、４１ａ１、４１ａ２、４１ｂ１、４１ｂ２…固定長穴。
【図１】
2018203410.tif 000003
【図２】
2018203410.tif 000004
【図３】
2018203410.tif 000005
【図４】
2018203410.tif 000006
【図５】
2018203410.tif 000007
【図６】
2018203410.tif 000008
【図７】
2018203410.tif 000009
【図８】
2018203410.tif 000010
【図９】
2018203410.tif 000011
【図１０】
2018203410.tif 000012
【図１１】
2018203410.tif 000013
【図１２】
2018203410.tif 000014